(57)【要約】【課題】巻き取り収納が可能であり、スクリーン本体部と非スクリーン本体部との接合部分の段差に起因してスクリーンに筋状に生じる巻き段が付かず、使用時の平面性が良好なスクリーンを提供する。【解決手段】基材層１１１とプリズム層１１２とが積層されたスクリーン本体部１１０の第１の端部に形成された薄肉部１１０ａに、非スクリーン本体部１２０の第２の端部１２０ａを重ねて接合することにより実現した。この薄肉部１１０は、基材層１１１上にプリズム層１１２が形成されていない部分であり、形成が容易である。【選択図】図３
2007193223.tif 000002
【特許請求の範囲】
【請求項１】
映像源から投影された映像を表示するスクリーン本体部と、
前記スクリーン本体部の第１の端部に重ねて接合される第２の端部を有する非スクリーン本体部と、
を有するスクリーンであって、
前記第１の端部、前記第２の端部の少なくとも一方には、厚み方向に段差が設けられ、他の部分よりも厚みの薄い薄肉部が形成されていること、
を特徴とするスクリーン。
【請求項２】
請求項１に記載のスクリーンにおいて、
前記薄肉部を有する前記スクリーン本体部及び／又は非スクリーン本体部は、第１の層と、前記第１の層に重ねて形成される第２の層とを有し、
前記薄肉部は、前記第１の層に前記第２の層が形成されていない部分であること、
を特徴とするスクリーン。
【請求項３】
請求項２に記載のスクリーンにおいて、
前記第２の層は、レンズ形状、プリズム形状、光拡散形状の少なくとも１つが賦形された層であり、
前記第１の層は、前記第２の層を形成する基材となる基材層であること、
を特徴とするスクリーン。
【請求項４】
請求項３に記載のスクリーンにおいて、
前記第２の層は、
スクリーン面に対して直交する断面において、観察面側における幅が裏面側における幅よりも広い略台形形状であり、スクリーン面に沿って多数並べて形成され、光を透過する単位プリズム形状と、
前記断面において、スクリーン面に沿って前記単位プリズム形状と交互に形成され、光を吸収する光吸収部と、
前記単位プリズム形状よりも裏面側に設けられ、光を反射する反射層と、
を備えること、
を特徴とするスクリーン。
【請求項５】
請求項２から請求項４に記載のスクリーンにおいて、
前記第２の層は、光硬化型樹脂を用いて形成されていること、
を特徴とするスクリーン。
【請求項６】
請求項１から請求項５までのいずれか１項に記載のスクリーンにおいて、
巻き取り可能な可撓性を有すること、
を特徴とするスクリーン。
【請求項７】
請求項１から請求項６までのいずれか１項に記載のスクリーンにおいて、
前記スクリーン本体部と前記非スクリーン本体部とを覆うように設けられたシート状の保護部材を有すること、
を特徴とするスクリーン。
【請求項８】
請求項７に記載のスクリーンにおいて、
前記保護部材の厚みは、１００μｍ以下であること、
を特徴とするスクリーン。
【請求項９】
請求項１から請求項８までのいずれか１項に記載のスクリーンにおいて、
前記スクリーン本体部と前記非スクリーン本体部とを接合する厚さ１５０μｍ以下の接合層を有すること、
を特徴とするスクリーン。
【請求項１０】
請求項２から請求項９までのいずれか１項に記載のスクリーンにおいて、
前記第１の層の厚みは、１５０μｍ以下であること、
を特徴とするスクリーン。
【請求項１１】
請求項２から請求項１０までのいずれか１項に記載のスクリーンにおいて、
前記非スクリーン本体部の厚みをｔ１とし、前記第２の層の厚みをｔ２とするとき、ｔ２−１００μｍ≦ｔ１≦ｔ２＋１００μｍが満たされること、
を特徴とするスクリーン。
【請求項１２】
請求項１から請求項１１までのいずれか１項にスクリーンにおいて、
前記非スクリーン本体部は、ポリエチレンテレフタレート、ポリカーボネート、ポリ塩化ビニル、オレフィン系樹脂、ターポリンの少なくとも１つを用いて形成されていること、
を特徴とするスクリーン。
【発明の詳細な説明】
【技術分野】
【０００１】
本発明は、映像を表示するスクリーン本体部と、映像を表示しない非スクリーン本体部とが接合されたスクリーンに関するものである。
【背景技術】
【０００２】
近年、プロジェクターにより映像光を投射し、大画面のスクリーンで映像を楽しめるホームシアター等の低価格化が進み、一般家庭等にも普及し始めている。このような大画面のスクリーンの中でも、不使用時には巻き取って収納できる可搬式のスクリーンや、天井や壁の高い位置に取り付けられ、スクリーンを床側へ引き出して使用するスクリーン等が広く普及している。
【０００３】
このようなスクリーンでは、映像を表示するスクリーン本体部と、映像を表示せず、スクリーン本体部とスクリーンを巻き取る巻き芯との間等に設けられ、巻き芯から引き出された長さによって、その部屋の環境等に合わせてスクリーンの本体部の高さ等を調整する非スクリーン本体部とが接合され、スクリーンとして用いられている場合がある。
スクリーン本体部と非スクリーン本体部とを接合するとき、単に糊しろを設けて積層して接合する場合には、接合部分に厚さ方向の段差が生じてしまう。そのため、巻き取った状態で長期間放置すると、巻き取られたスクリーン本体部が段差と重なる位置に、筋状の曲げクセが跡となって残る（以下、これを巻き段とする）。この巻き段が生じると、使用時に、スクリーンの平面性が不十分になり、映像が歪んで観察されてしまうという問題があった。
【０００４】
この問題を解決するために、特許文献１では、スクリーン本体部と非スクリーン本体部との接合部分の裏面に、発泡ポリエチレン等により形成された複数の巻癖防止片を所定距離離間させて貼着する手法が開示されている。
しかし、この手法では、周回してきたスクリーン本体部が積層される接合部分にも巻癖防止片が設けられている。そのため、巻癖防止片が周回してきたスクリーン本体部によって変形され、巻癖防止片の段差が生じてしまい、それが巻き段の原因になるという問題があった。
【特許文献１】特開平９−３１１３８５号公報（第８頁、図１３）
【発明の開示】
【発明が解決しようとする課題】
【０００５】
本発明の課題は、巻き取り収納が可能であり、スクリーン本体部と非スクリーン本体部との接合部分の段差に起因してスクリーンに筋状に生じる巻き段が付かず、使用時の平面性が良好なスクリーンを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像源から投影された映像を表示するスクリーン本体部（１１０）と、前記スクリーン本体部の第１の端部に重ねて接合される第２の端部（１２０ａ）を有する非スクリーン本体部（１２０）と、を有するスクリーンであって、前記第１の端部、前記第２の端部の少なくとも一方には、厚み方向に段差が設けられ、他の部分よりも厚みの薄い薄肉部（１１０ａ）が形成されていること、を特徴とするスクリーン（１００）である。
請求項２の発明は、請求項１に記載のスクリーンにおいて、前記薄肉部（１１０ａ）を有する前記スクリーン本体部（１１０）及び／又は非スクリーン本体部（１２０）は、第１の層（１１１）と、前記第１の層に重ねて形成される第２の層（１１２）とを有し、前記薄肉部（１１０ａ）は、前記第１の層に前記第２の層が形成されていない部分であること、を特徴とするスクリーン（１００）である。
請求項３の発明は、請求項２に記載のスクリーンにおいて、前記第２の層（１１２）は、レンズ形状、プリズム形状、光拡散形状の少なくとも１つが賦形された層であり、前記第１の層（１１１）は、前記第２の層を形成する基材となる基材層であること、を特徴とするスクリーン（１００）である。
請求項４の発明は、請求項３に記載のスクリーンにおいて、前記第２の層（１１２）は、スクリーン面に対して直交する断面において、観察面側における幅が裏面側における幅よりも広い略台形形状であり、スクリーン面に沿って多数並べて形成され、光を透過する単位プリズム形状（１１２ａ）と、前記断面において、スクリーン面に沿って前記単位プリズム形状と交互に形成され、光を吸収する光吸収部（１１２ｂ）と、前記単位プリズム形状よりも裏面側に設けられ、光を反射する反射層（１１２ｃ）と、を備えること、を特徴とするスクリーン（１００）である。
請求項５の発明は、請求項２から請求項４に記載のスクリーンにおいて、前記第２の層（１１２）は、光硬化型樹脂を用いて形成されていること、を特徴とするスクリーン（１００）である。
請求項６の発明は、請求項１から請求項５までのいずれか１項に記載のスクリーンにおいて、巻き取り可能な可撓性を有すること、を特徴とするスクリーン（１００）である。
請求項７の発明は、請求項１から請求項６までのいずれか１項に記載のスクリーンにおいて、前記スクリーン本体部（１１０）と前記非スクリーン本体部（１２０）とを覆うように設けられたシート状の保護部材（１４０）を有すること、を特徴とするスクリーン（１００）である。
請求項８の発明は、請求項７に記載のスクリーンにおいて、前記保護部材（１４０）の厚みは、１００μｍ以下であること、を特徴とするスクリーン（１００）である。
請求項９の発明は、請求項１から請求項８までのいずれか１項に記載のスクリーンにおいて、前記スクリーン本体部（１１０）と前記非スクリーン本体部（１２０）とを接合する厚さ１５０μｍ以下の接合層（１３０）を有すること、を特徴とするスクリーン（１００）である。
請求項１０の発明は、請求項２から請求項９までのいずれか１項に記載のスクリーンにおいて、前記第１の層（１１１）の厚みは、１５０μｍ以下であること、を特徴とするスクリーン（１００）である。
請求項１１の発明は、請求項２から請求項１０までのいずれか１項に記載のスクリーンにおいて、前記非スクリーン本体部（１２０）の厚みをｔ１とし、前記第２の層（１１２）の厚みをｔ２とするとき、ｔ２−１００μｍ≦ｔ１≦ｔ２＋１００μｍが満たされること、を特徴とするスクリーン（１００）である。
請求項１２の発明は、請求項１から請求項１１までのいずれか１項にスクリーンにおいて、前記非スクリーン本体部（１２０）は、ポリエチレンテレフタレート、ポリカーボネート、ポリ塩化ビニル、オレフィン系樹脂、ターポリンの少なくとも１つを用いて形成されていること、を特徴とするスクリーン（１００）である。
【発明の効果】
【０００７】
本発明によれば、以下の効果を奏することができる。
（１）スクリーンは、スクリーン本体部の第１の端部、非スクリーン本体部の第２の端部の少なくとも一方には、厚み方向に段差が設けられ、他の部分よりも厚みの薄い薄肉部が形成されているので、スクリーン本体部と非スクリーン本体部との接合部分の厚み方向の段差を緩やかにすることができる。従って、スクリーンを巻き取ったり、重ねたり等して保管した場合等に、接合部分の段差に起因してスクリーンに生じる巻き段を防止することができ、使用時には平面性が高く高画質な映像を表示できる。
【０００８】
（２）薄肉部は、第１の層に第２の層が形成されていない部分であるので、薄肉部の形成が容易である。
【０００９】
（３）第２の層は、レンズ形状、プリズム形状、光拡散形状の少なくとも１つが賦形された賦形層であり、第１の層は、第２の層を形成する基材となる基材層であるので、スクリーンが映像を表示する形態によって最適な形状を選択して形成できる。
【００１０】
（４）第２の層は、光を透過する単位プリズム形状と、スクリーン面に沿って単位プリズム形状と交互に形成され、光を吸収する光吸収部と、単位プリズム形状よりも裏面側に設けられ、光を反射する反射層とを備えるので、スクリーンは、不要な外光を吸収し、コントラストの高い映像を表示できる反射スクリーンとして用いることができる。
【００１１】
（５）第２の層は、光硬化型樹脂を用いて形成されているので、形成が容易である。
【００１２】
（６）スクリーンは、巻き取り可能な可撓性を有するので、不使用時や輸送時等に、巻き取って収納することができる。
【００１３】
（７）スクリーン本体部と非スクリーン本体部とを覆うように設けられたシート状の保護部材を有するので、接合部分の厚み方向に生じる段差をより緩やかにすることができる。また、スクリーン本体部と非スクリーン本体部の接合強度を補強できる。
【００１４】
（８）保護部材の厚みは、１００μｍ以下であるので、スクリーン本体部と非スクリーン本体部とを覆うように設けた場合にも、新たな段差を生じさせることなく、巻き段の発生を防止できる。
【００１５】
（９）接合層は、その厚さが１５０μｍ以下であるので、スクリーン本体部と非スクリーン本体部との接合部分の段差を大きくすることなく、スクリーン本体部と非スクリーン本体部を接合することができる。
【００１６】
（１０）第１の層の厚みは、１５０μｍ以下であるので、第１の層が巻き芯側となるように巻き取ることにより、スクリーン本体部に巻き段を生じさせることなく、良好な外観を長期にわたり維持する事ができる。
【００１７】
（１１）非スクリーン本体部の厚みをｔ１とし、第２の層の厚みをｔ２とするとき、ｔ２−１００μｍ≦ｔ１≦ｔ２＋１００μｍが満たされるので、非スクリーン本体部とスクリーン本体部との接合部分の段差を緩やかにでき、巻き段の発生を防止できる。また、非スクリーン本体部の厚みと第２の層の厚みとの差による段差によって新たな巻き段が発生することを防止できる。
【００１８】
（１２）非スクリーン本体部は、ポリエチレンテレフタレート、ポリカーボネート、ポリ塩化ビニル、オレフィン系樹脂、ターポリンの少なくとも１つを用いて形成されているので、外観を良好にでき、かつ、生産コストを抑えることができる。
【発明を実施するための最良の形態】
【００１９】
本発明は、巻き取り収納が可能であり、スクリーン本体部と非スクリーン本体部との接合部分の段差に起因してスクリーンに筋状に生じる巻き段が付かず、使用時の平面性が良好なスクリーンを提供するという目的を、スクリーン本体部の第１の端部に形成された薄肉部に、非スクリーン本体部の第２の端部を積層して接合することにより実現した。
【実施例】
【００２０】
図１は、本発明によるスクリーン１００を有する巻き取り型反射スクリーン装置１０の実施例を示す図である。
なお、図１を含め、以下に示す各図は、説明のため各部寸法，形状等を適宜誇張して示している。また、各図中における垂直方向、水平方向とは、スクリーン１００の使用状態における垂直方向、水平方向である。
巻き取り型反射スクリーン装置１０は、本実施例のスクリーン１００，収納部１２，錘部１３等を備えている。この巻き取り型反射スクリーン装置１０は、天井などに取り付けられ、スクリーン使用時には後述の収納部１２からスクリーン１００を引き出して映像光を投射して映像を表示し、不使用時には収納部１２内に巻き取ることが可能である。
【００２１】
収納部１２は、不使用時に巻き取ったスクリーン１００をその内部に収納する部分である。収納部１２は、金属又はプラスチック製等の中空の部材であり、その軸方向にスクリーン１００を引き出し可能なスリット等が形成されている。収納部１２の内部には、スクリーン１００を巻き取る不図示の巻き芯が備えられており、本実施例では、後述のスクリーン本体部１１０に接合された後述の非スクリーン本体部１２０の一端が、この巻き芯に取り付けられている。また、本実施例では、収納時等には、スクリーン１００は、観察面側が巻き芯側となるように巻き取られる形態となっている。
【００２２】
錘部１３は、スクリーン１００の巻き芯に取り付けられる一端とは反対側の端部に設けられた部分である。この錘部１３は、その錘部１３によって巻き取り型反射スクリーン装置１０に加わる荷重によって、スクリーン１００の使用状態の平面性を高めるために十分な重さを有している。本実施例では、錘部１３は、金属製の丸棒状の部材であり、スクリーン本体部１００に接合された非スクリーン本体部１２０の一端が巻き付けられ、接着されている。
本実施例に示す巻き取り型反射スクリーン装置１０は、スクリーン１００の巻き取りを、スプリングの付勢力によって行うスプリング巻き上げ方式の反射スクリーンである。しかし、これに限らず、例えば、スクリーンの巻き取りを電動で行う電動式巻き取り方式や、パンタグラフを複数組み合わせた伸縮機構による下からの持ち上げによってスクリーンを使用状態となるように引き出し、これと逆の動作によってスクリーンを巻き取る方式のものでもよい。
【００２３】
本実施例のスクリーン１００は、収納時等に巻き取り可能であり、プロジェクター光学エンジン部（映像源）Ｌから投影された映像光を観察者Ｏ側へ反射させて観察可能とする巻き取り型反射スクリーンである。
スクリーン１００は、映像を表示するスクリーン本体部１１０と、映像を表示しない非スクリーン本体部１２０とを有する。
【００２４】
図２は、本実施例のスクリーン１００におけるスクリーン本体部１１０と非スクリーン本体部１２０との接合部分を説明する斜視図である。なお、図２は、接合部分の一部を透視図として示している。
図３は、図２に示す矢印ＢＢで切断した断面図である。
なお、図２及び図３は、図１における領域Ａで示した接合部分を示している。
【００２５】
スクリーン本体部１１０は、映像源Ｌから投影された映像を表示する部分であり、基材層１１１，プリズム層１１２，薄肉部１１０ａ等を有している。
基材層１１１は、後述のプリズム層１１２を形成するための基材となる第１の層であり、アクリル、ポリカーボネート（ＰＣ）、ポリエチレンテレフタレート（ＰＥＴ）等の樹脂製のシート又はフィルムから形成される光透過性を有する層である。
本実施例では、基材層１１１は、厚さ１００μｍのＰＥＴ製のフィルムを用いている。なお、基材層１１１の厚さは、１５０μｍ以下であることが、巻き段の発生防止には好ましい。
【００２６】
プリズム層１１２は、単位プリズム形状１１２ａ，光吸収部１１２ｂ，反射層１１２ｃ等を有する第２の層である。本実施例では、プリズム層１１２は、その厚みが２００μｍである。
単位プリズム形状１１２ａは、スクリーン面に対して直交する断面において、観察面側における幅が裏面側における幅よりも広い台形形状であり、スクリーン面に沿って多数並べて形成された光を透過する部分である。本実施例の単位プリズム形状１１２ａは、屈折率が１．５６である紫外線硬化型樹脂を用いて形成されている。なお、本実施例では、単位プリズム形状１１２ａは、紫外線硬化型樹脂を用いて形成される例を示したが、これに限らず、例えば、電離放射線硬化型樹脂等の他の光硬化型樹脂を用いて形成してもよいし、光透過性を有する熱可塑性樹脂等を用いて形成してもよい。
ここで、スクリーン面とは、スクリーン全体として見たときにおける、スクリーンの平面方向となる面を示すものであり、以下の説明中、及び、特許請求の範囲においても同一の定義として用いている。
【００２７】
光吸収部１１２ｂは、複数並べられた単位プリズム形状１１２ａ同士の間隙に形成された光を吸収する作用を有する部分である。本実施例における光吸収部１１２ｂは、光を吸収する作用を有する黒色ビーズを、単位プリズム形状１１２ａを形成する樹脂よりも屈折率の低い樹脂に混練し、単位プリズム形状１１２ａ同士の隙間に充填して形成されている。
反射層１１２ｃは、単位プリズム形状１１２ａよりも裏面側に形成され、映像光を反射して観察面側（映像源側）へ戻す層である。本実施例では、反射層１１２ｃは、プリズム層１１２の裏面側全面に、高反射のシルバー色塗料を塗布して形成されている。
【００２８】
薄肉部１１０ａは、非スクリーン本体部１２０の第２の端部１２０ａと重ねて接合されるスクリーン本体部１１０の第１の端部に形成され、スクリーン本体部１１０の他の部分よりも厚みが薄い部分である。なお、本実施例では、薄肉部１１０ａは、第１の端部の全体に設けられている。この薄肉部１１０ａは、基材層１１１にプリズム層１１２が形成されていない部分であり、本実施例では、薄肉部１１０ａの厚みは、基材層１１１の厚みに等しく、１００μｍである。
接合層１３０は、薄肉部１１０ａのプリズム層１１２側（裏面側）に設けられ、スクリーン本体部１１０と非スクリーン本体部１２０とを接合するための層である。本実施例では、厚さ１００μｍの両面テープを用いており、スクリーン１００の幅方向（スクリーン１００の使用時の水平方向）の全体にわたって貼付されている。
【００２９】
非スクリーン本体部１２０は、スクリーン本体部１１０の薄肉部１１０ａ（第１の端部）に、接合層１３０を介して重ねられて接合される第２の端部１２０ａを有するシート状又はフィルム状の部材である。本実施例では、非スクリーン本体部１２０は、黒色である厚さ１００μｍのＰＥＴ製のシート状の部材である。この非スクリーン本体部１２０は、スカートフィルムやリード等とも呼ばれ、映像を表示せず、収納部１２から引き出された長さによって、スクリーン本体部１１０の高さを調整する機能を有する。
ここで、非スクリーン本体部１２０の厚みをｔ１とし、プリズム層１１２の厚みをｔ２とするとき、ｔ１，ｔ２は、ｔ２−１００μｍ≦ｔ１≦ｔ２＋１００μｍを満たすことが、プリズム層１１２と非スクリーン本体部１２０との厚みの差によって新たに段差が生じて巻き段が発生することを防止する上で好ましい。
なお、本実施例では、ｔ１＝１００μｍ、ｔ２＝２００μｍであり、ｔ２−１００μｍ≦ｔ１≦ｔ２＋１００μｍを満たしている。
また、本実施例では、非スクリーン本体部１２０は、ＰＥＴ製である例を示したが、これに限らず、例えば、ＰＣ，ポリ塩化ビニル（ＰＶＣ），オレフィン系樹脂，ターポリン等を用いてもよい。
【００３０】
保護部材１４０は、スクリーン本体部１１０と非スクリーン本体部１２０とを覆うように設けられたシート状又はフィルム状の部材である。本実施例では、厚さ５０μｍのＰＥＴ製の粘着テープを用いている。この保護部材１４０は、スクリーン本体部と非スクリーン本体部との接合強度を補強し、基材層１１１の厚みによる段差を緩やかにする。
【００３１】
本実施例によれば、スクリーン本体部１１０と非スクリーン本体部１２０との接合部分には、厚み方向の段差が緩やかになった。従って、巻き取って長期間放置した場合にも、段差に起因する巻き段が生じ難く、スクリーン使用時の平面性が良好となり、高画質の映像を提供できる。
【００３２】
（変形例）
以上説明した実施例に限定されることなく、種々の変形や変更が可能であって、それらも本発明の均等の範囲内である。
（１）本実施例では、薄肉部１１０ａは、スクリーン本体部１１０のみに形成される例を示したが、これに限らず、非スクリーン本体部１２０のみに形成してもよいし、スクリーン本体部１１０，非スクリーン本体部１２０の双方に形成してもよい。
【００３３】
（２）本実施例では、薄肉部１１０ａは、その厚みが一定である例を示したが、これに限らず、端部に近づくに従ってその厚みが薄くなるように形成してもよい。そのような形状とすることにより、接合部分の段差をより緩やかにし、巻き段を防止する効果を高めることができる。
【００３４】
（３）本実施例では、接合層１３０は、両面テープを用いた例を示したが、これに限らず、例えば、接着剤を塗布して形成してもよい。また、接合層１３０は、スクリーン１００の幅方向の全体にわたって形成せず、所定の距離を離して複数設けてもよい。
【００３５】
（４）本実施例では、保護部材１４０を設ける例を示したが、スクリーン本体部１１０と非スクリーン本体部１２０との接合強度が十分であり、基材層１１１の厚みによる段差が緩やかで巻き段発生の原因とならないならば、保護部材１４０は設けなくともよい。
【００３６】
（５）本実施例では、スクリーン本体部１１０の薄肉部１１０ａを除く部分が全て映像を表示可能である例を示したが、これに限らず、例えば、薄肉部１１０ａを含む基材層１１１の端部を、非スクリーン本体部１２０と同色に塗装し、接続部分の外観を良好にしてもよい。
【００３７】
（６）本実施例では、光吸収部１１２ｂは、黒色ビーズを混練した樹脂によって形成される例を示したが、これに限らず、例えば、単位プリズム形状１１２ａ同士の間隙に、黒色ビーズを満遍なく充填し、粘着フィルムを貼り合わせる等して単位プリズム形状１１２ａ同士の隙間に安定して保持する形態としてもよい。このとき、光吸収部１１２ｂ内でこの黒色ビーズが存在しない領域は、空隙となっているので、光吸収部１１２ｂが容易に変形することが可能となり、スクリーン１００を巻き上げるために必要な柔軟性を高めることができる。
【００３８】
（７）本実施例では、第２の層は、単位プリズム形状が賦形されたプリズム層１１２である例を示したが、これに限らず、レンズ形状、光拡散形状等が賦形された層でもよく、スクリーンが映像を表示する形態によって、適宜最適な形状を選択して賦形してよい。
【００３９】
（８）本実施例では、巻き取り可能な反射スクリーン装置のスクリーンに適用される例を示したが、これに限らず、例えば、背面投射型の表示装置のスクリーン等に適用してもよい。
【００４０】
（９）本実施例では、スクリーン１００は、巻き取り型反射スクリーン装置１０の一部材として用いられる例を示したが、これに限らず、例えば、単体でスクリーンとして用いられるスクリーンとしてもよい。
【図面の簡単な説明】
【００４１】
【図１】本発明によるスクリーンを有する巻き取り型反射スクリーン装置１０の実施例を示す図である。
【図２】本実施例のスクリーン１００におけるスクリーン本体部１１０と非スクリーン本体部１２０との接合部分を説明する斜視図である。
【図３】図２に示す矢印ＢＢで切断した断面図である。
【符号の説明】
【００４２】
１０    巻き取り型反射スクリーン装置
１２    収納部
１３    錘部
１００    スクリーン
１１０    スクリーン本体部
１１０ａ    薄肉部
１１１    基材層
１１２    プリズム層
１２０    非スクリーン本体部
【図１】
2007193223.tif 000003
【図２】
2007193223.tif 000004
【図３】
2007193223.tif 000005